(57)【要約】  小火器用照準器が本明細書に記載されている。小火器用照準器は、ハウジングと、本体アセンブリと、照準アセンブリとを含み得る。本体アセンブリは、ハウジングに動作可能に取り付けられ得る。また、照準アセンブリは、本体アセンブリに動作可能に取り付けられ得る。さらに、展開機構は、本体アセンブリおよび照準アセンブリを、ハウジングの少なくとも部分的に内側にある閉位置からハウジングの少なくとも部分的に外側にある開位置まで展開するように動作可能であり得る。【選択図】図１
2016502643.tif 000002
【特許請求の範囲】
【請求項１】
ハウジングと、
前記ハウジングに動作可能に取り付けられた本体アセンブリと、
前記本体アセンブリに動作可能に取り付けられた照準アセンブリと、
前記本体アセンブリおよび前記照準アセンブリを、前記ハウジングの少なくとも部分的に内側にある閉位置から前記ハウジングの少なくとも部分的に外側にある開位置まで展開するように動作可能な展開機構と、を備える、
小火器用照準器。
【請求項２】
前記ハウジングに動作可能に取り付けられ、かつ前記閉位置で前記本体アセンブリおよび前記照準アセンブリを維持するように構成されたラッチアセンブリをさらに備える、請求項１に記載の小火器用照準器。
【請求項３】
前記ラッチアセンブリの操作が、前記展開機構と協働して、前記本体アセンブリおよび前記照準アセンブリを前記開位置まで展開する、請求項２に記載の小火器用照準器。
【請求項４】
前記本体アセンブリは、照準表示を前記照準アセンブリ上に表示するように構成された光源を備える、請求項１に記載の小火器用照準器。
【請求項５】
前記照準表示は、前記照準アセンブリに関して調整可能である、請求項４に記載の小火器用照準器。
【請求項６】
前記照準アセンブリは、
照準アセンブリフレームと、
前記照準アセンブリフレームに関して位置決めされた反射レンズと、
前記反射レンズ上に表示された照準表示と、を備える、
請求項１に記載の小火器用照準器。
【請求項７】
前記本体アセンブリおよび前記照準アセンブリは、前記閉位置にある時に、ともに折り畳まれ、かつ前記ハウジング内に少なくとも部分的に位置決めされる、請求項１に記載の小火器用照準器。
【請求項８】
前記本体アセンブリは、前記開位置にある時に、前記ハウジングに対して傾斜して配置される、請求項１に記載の小火器用照準器。
【請求項９】
前記照準アセンブリは、前記開位置にある時に、前記本体アセンブリに実質的に直角をなす、請求項１に記載の小火器用照準器。
【請求項１０】
前記ハウジングを小火器に取り付けるように構成された取付けアセンブリをさらに備える、請求項１に記載の小火器用照準器。
【請求項１１】
前記取付けアセンブリは、
固定クランプと、
クランプ位置とクランプ解除位置との間で前記固定クランプに対して移動するように動作可能な可動クランプと、
前記固定クランプと前記可動クランプとの間に位置決めされた少なくとも１つの連結棒と、を備え、
前記少なくとも１つの連結棒の操作によって、前記可動クランプが、前記クランプ位置と前記クランプ解除位置との間で移動する、請求項１０に記載の小火器用照準器。
【請求項１２】
前記少なくとも１つの連結棒は、前記小火器のレールアセンブリ上の少なくとも２つの装着突起部の間で少なくとも部分的に突出するように構成される、請求項１１に記載の小火器用照準器。
【請求項１３】
前記取り付けアセンブリは、前記小火器のレールアセンブリの側面に対応する輪郭を少なくとも部分的に備える、請求項１１に記載の小火器用照準器。
【請求項１４】
小火器に取り付け可能なハウジングと、
前記ハウジングに摺動可能に取り付けられた本体アセンブリと、
前記本体アセンブリに回転可能に取り付けられた照準アセンブリと、
前記本体アセンブリおよび前記照準アセンブリを、前記ハウジング少なくとも部分的に内側にある閉位置から前記ハウジングの少なくとも部分的に外側にある開位置まで展開するように動作可能な展開機構と、
前記ハウジングに旋回可能に取り付けられ、かつ前記閉位置で前記本体アセンブリおよび前記照準アセンブリを維持するように構成されたラッチアセンブリと、を備え、
前記ラッチアセンブリの操作は、前記展開機構と協働して、前記本体アセンブリおよび前記照準アセンブリを前記開位置まで展開する、
小火器用照準器。
【請求項１５】
前記本体アセンブリは、照準表示を前記照準アセンブリ上に表示するように構成された光源を備える、請求項１４に記載の小火器用照準器。
【請求項１６】
前記照準表示は、前記照準アセンブリに関して調整可能である、請求項１５に記載の小火器用照準器。
【請求項１７】
前記照準アセンブリは、
照準アセンブリフレームと、
前記照準アセンブリフレームに関して位置決めされた反射レンズと、
前記反射レンズ上に表示された照準表示と、を備える、
請求項１４に記載の小火器用照準器。
【請求項１８】
前記本体アセンブリおよび前記照準アセンブリは、前記閉位置にある時に、ともに折り畳まれ、かつ前記ハウジング内に少なくとも部分的に位置決めされる、請求項１４に記載の小火器用照準器。
【請求項１９】
前記本体アセンブリは、前記開位置にある時に、前記ハウジングに対して傾斜して配置される、請求項１４に記載の小火器用照準器。
【請求項２０】
小火器用照準器を提供する方法であって、
小火器に取り付け可能なハウジングを提供することと、
本体アセンブリを前記ハウジングに取り付けることと、
照準アセンブリを前記本体アセンブリに取り付けることと、
展開機構を前記本体アセンブリに取り付けることと、を含み、
前記展開機構は、前記本体アセンブリおよび前記照準アセンブリを、前記ハウジングの少なくとも部分的に内側にある閉位置から前記ハウジングの少なくとも部分的に外側にある開位置まで展開するように構成される、方法。
【発明の詳細な説明】
【技術分野】
【０００１】
[関連出願の相互参照]
[0001]  本出願は、２０１２年１２月５日に出願された米国特許仮出願第６１／７３３，６８７号および第６１／７３３，６８８号の優先権および利益を主張し、それらの両方とも、参照により全体が本明細書に組み込まれる。
【０００２】
[0002]  本開示は、概して小火器付属品に関し、特に、小火器用照準器を提供するためのシステム、方法、および装置に関する。
【背景技術】
【０００３】
[0003]  小火器分野の動向は、純粋に機械的な小火器用照準器（金属製照準器など）から、等倍の電子反射型（またはレッドドット）小火器用照準器に変わってきている。こうしたタイプの小火器用照準器は、通常、堅牢性を有する一方で、確実に機能しなくなることが定期的にあり、したがって、そのような電子小火器用照準器は、故障した時に、ユーザが金属製照準器を照準面に「跳ね」上げる（flip-up）ことを可能にするバックアップの金属製照準アセンブリによって補助される必要がある。ユーザは、機能しない電子照準器を介して小火器の照星を観察し、そしてこの照星を、バックアップの照門上の開口または他の照準機構と位置合わせすることによって、小火器を照準することが可能になる。このシステムは、非拡大型の電子小火器用照準器または光学小火器用照準器という前世代について辛うじて効果的であるものの、状況によっては、拡大型光学照準装置という新世代に対しては使用不能であった。このことに対する１つの理由は、拡大型照準装置の制限された視野を介して、小火器の固定された照星を観察できないということである。
【発明の概要】
【０００４】
[0004]  上述の必要性および／または問題の一部またはすべては、本明細書に開示した小火器用照準器の特定の実施形態によって解決することができる。一実施形態では、小火器用照準器は、ハウジングと、本体アセンブリと、照準アセンブリとを含み得る。本体アセンブリは、ハウジングに動作可能に取り付けられ得る。また、照準アセンブリは、本体アセンブリに動作可能に取り付けられ得る。さらに、展開機構が、本体アセンブリおよび照準アセンブリを、ハウジングの少なくとも部分的に内側にある閉位置からハウジングの少なくとも部分的に外側にある開位置まで展開するように動作可能であり得る。
【０００５】
[0005]  小火器用照準器の他の特徴および態様は、以下の図面および詳細な説明を考察すれば、当業者には明らかになるであろう。他のすべての特徴および態様、ならびに他のシステム、方法、およびアセンブリの実施形態は、この説明に含まれるものとし、また、添付の特許請求の範囲に収まるものとする。
【図面の簡単な説明】
【０００６】
[0006]  添付の図面を参照して詳細な説明を行う。同じ参照符号の使用は、同様または同一の要素を示し得る。図面に記載されたもの以外の要素および／または構成要素をさまざまな実施形態で使用することができるが、一部の要素および／または構成要素は、さまざまな実施形態において存在できない。図面の要素および／または構成要素は、必ずしも一定の縮尺で描かれていない。本開示を通じて、単数および複数の用語を文脈に応じて区別なく使用することができる。
【０００７】
【図１】[0007]  図１は、本開示の１つ以上の実施形態に係る小火器用照準器を概略的に示す。
【図２】[0008]  図２は、本開示の１つ以上の実施形態に係る小火器用照準器を概略的に示す。
【図３】[0009]  図３は、本開示の１つ以上の実施形態に係る小火器用照準器を概略的に示す。
【図４】[0010]  図４は、本開示の１つ以上の実施形態に係る小火器用照準器を概略的に示す。
【図５】[0011]  図５は、本開示の１つ以上の実施形態に係る小火器用照準器を概略的に示す。
【図６】[0012]  図６は、本開示の１つ以上の実施形態に係る小火器用照準器を概略的に示す。
【図７】[0013]  図７は、本開示の１つ以上の実施形態に係る小火器用照準器を概略的に示す。
【図８】[0014]  図８は、本開示の１つ以上の実施形態に係る小火器用照準器を概略的に示す。
【図９】[0015]  図９は、本開示の１つ以上の実施形態に係る小火器用照準器を概略的に示す。
【図１０】[0016]  図１０は、本開示の１つ以上の実施形態に係る小火器用照準器を概略的に示す。
【図１１】[0017]  図１１は、本開示の１つ以上の実施形態に係る小火器用照準器を概略的に示す。
【図１２】[0018]  図１２は、本開示の１つ以上の実施形態に係る小火器用照準器を概略的に示す。
【図１３】[0019]  図１３は、本開示の１つ以上の実施形態に係る小火器用照準器を提供するための例示的な方法を示すフローチャートである。
【発明を実施するための形態】
【０００８】
概要
[0020]  以下に説明するのは、小火器に取り付けることができる小火器用照準器（および小火器用照準器の個別の構成要素）の実施形態である。小火器用照準器を製造、搭載、および／または使用する方法も開示されている。場合によっては、小火器用照準器は、小火器用２次照準器として機能してもよい。すなわち、小火器用照準器は、小火器用１次照準器を補助してもよい。例えば、小火器用照準器は、小火器用１次照準器が誤作動した場合に、または動作不能である場合に展開され得る。
【０００９】
[0021]  小火器は、従来の小火器であり得る。例えば、小火器は拳銃であり得る。場合によっては、小火器は、小銃、特に、Ｍ−１６型小銃、ＡＲ−１５型小銃、ＡＲ−１０型小銃、またはＭ−４型小銃であってもよい。他の場合には、小火器は散弾銃であってもよい。本明細書に開示する小火器用照準器との関連において、任意の小火器が使用され得る。場合によっては、小火器は、レールアセンブリなどの取付け部を含んでもよい。例示的な実施形態において、レールアセンブリは、ピカティニー・レールアセンブリであり得る。
小火器用照準器の特定の実施形態は、改善された制御および安定性という技術効果および／または解決策を提供することができ、改善された小火器精度および性能がもたらされる。さらに、小火器用照準器は、改善された機動性および／または構成可能性という技術効果および／または解決策を提供することができる。例えば、小火器用照準器は、比較的容易に格納および展開され得る。場合によっては、小火器用照準器は、利用されない空間において小火器用１次照準器の下方で小火器のレールアセンブリに装着されてもよい。そのような構成によって、小火器の側部からの嵩および／または突出を最小化することができ、小火器用照準器をさらに保護することができる。というのは、小火器用照準器は、小火器用１次照準器によって衝撃および鈍力から保護することができるからである。他の技術効果および／または解決策が、本開示を通じて明らかになるであろう。
【００１０】
[0022]  一般に、小火器用照準器は、ハウジングを含み得る。場合によっては、ハウジングは、小火器用照準器の１つ以上の構成要素を少なくとも部分的に囲んでもよい。ハウジングは、小火器に取り付けられ得る。例えば、取付けアセンブリが、ハウジングを小火器に取り付けるように構成され得る。場合によっては、取付けアセンブリは、固定クランプと、可動クランプと、少なくとも１つの連結棒とを含んでもよい。可動クランプは、クランプ位置とクランプ解除位置との間で固定クランプに対して移動するように動作可能であり得る。連結棒は、固定クランプと可動クランプとの間に位置決めされ得る。このように、連結棒の操作によって、可動クランプがクランプ位置とクランプ解除位置との間で移動し得る。場合によっては、連結棒は、小火器のレールアセンブリ上の少なくとも２つの装着突起部の間で少なくとも部分的に突出するように構成されてもよい。さらに、取り付けセンブリは、小火器のレールアセンブリの側面（例えば、あり継ぎ構成）に対応する輪郭を少なくとも部分的に備え得る。
【００１１】
[0023]  小火器用照準器は、本体アセンブリを含み得る。本体アセンブリは、ハウジングに動作可能に取り付けられ得る。場合によっては、本体アセンブリは、ハウジング内に格納されてもよい。他の場合には、本体アセンブリは、ハウジングから展開されてもよい。例えば、本体アセンブリは、ハウジングに摺動可能に取り付けられ得る。このように、本体アセンブリは、ハウジングの内側にある位置からハウジングから延在する位置まで摺動し得る。さらに、本体アセンブリは、小火器用照準器の１つ以上の構成要素を含み得る。例えば、本体アセンブリは、特に光源と電源とを含み得る。
【００１２】
[0024]  照準アセンブリが、本体アセンブリに動作可能に取り付けられ得る。例えば、照準アセンブリは、本体アセンブリの前方部分または後方部分に動作可能に取り付けられ得る。場合によっては、照準アセンブリは、本体アセンブリに関して回転可能であってもよい。例えば、照準アセンブリは、ヒンジなどを介して本体アセンブリに取り付けられ得る。場合によっては、照準アセンブリは、照準アセンブリフレームと、照準アセンブリフレームに関して位置決めされた反射レンズと、反射レンズに表示された照準表示とを含んでもよい。このように、照準アセンブリフレームは、本体アセンブリに回転可能に取り付けられ得る。また、光源は、反射レンズ上の照準表示を表示し得る。場合によっては、照準表示は、照準アセンブリに関して調整可能であってもよい。
【００１３】
[0025]  小火器用照準器は、本体アセンブリおよび照準アセンブリを、ハウジングの少なくとも部分的に内側にある閉位置からハウジングの少なくとも部分的に外側にある開位置まで展開するように動作可能な展開機構を含み得る。場合によっては、展開機構は、ばねなどであってもよい。特定の実施形態において、本体アセンブリおよび照準アセンブリは、閉位置にある時に、ともに折り畳まれ、ハウジング内に少なくとも部分的に位置決めされ得る。逆に、本体アセンブリは、開位置にある時に、ハウジングに対して傾斜して展開され得る。加えて、照準アセンブリは、開位置にある時に、本体アセンブリに対して実質的に直角をなし得る。本体アセンブリおよび照準アセンブリは、小火器を照準する際に開位置にあり得る。
【００１４】
[0026]  ラッチアセンブリが、ハウジングに動作可能に取り付けられ得る。場合によっては、ラッチアセンブリは、閉位置で本体アセンブリおよび照準アセンブリを維持するように構成されてもよい。例えば、ラッチアセンブリは、閉位置で、本体アセンブリおよび照準アセンブリをハウジング内での折り畳み構成に維持し得る。ラッチアセンブリの操作は、展開機構と協働して、本体アセンブリおよび照準アセンブリを開位置まで展開し得る。
【００１５】
[0027]  本開示のこれらの実施形態および他の実施形態を、以降に続く本開示の詳細な説明において、添付の図面を参照することでより詳細に説明する。項の見出しおよび対応する概略を含むこの簡潔な導入は、読み手の便宜のために提供され、この導入は、特許請求の範囲または以下の項を限定することを意図するものではない。さらに、上記および下記の技術は、多数の方法で、そして多数の状況で実施することができる。以下により詳細に述べるとおり、図面を参照していくつかの例示的な実施および状況が提供される。ただし、以下の実施および状況は、多くのうちのいくつかである。
【００１６】
例示的な実施形態
[0028]  図１〜図１２は、本開示の１つ以上の実施形態に従って、小火器に取り付けることができる小火器用照準器１００（および小火器用照準器１００の個別の構成要素）のさまざまな実施形態を概略的に示している。小火器は、従来の小火器であり得る。場合によっては、小火器は拳銃であってもよい。他の場合には、小火器は小銃であってもよい。例として、小火器は、Ｍ−１６型小銃、ＡＲ−１５型小銃、ＡＲ−１０型小銃、またはＭ−４型小銃などの任意の数の小火器であり得るが、それらに限定されない。場合によっては、小火器は散弾銃であってもよい。本明細書において、任意の小火器が使用され得る。場合によっては、小火器は、小火器用照準器１００を小火器に取り付けるための、レール、溝、またはチャネルなどの取付け部を含んでもよい。例示的な実施形態において、小火器は、ピカティニー・レールアセンブリを含み得る。
【００１７】
[0029]  小火器用照準器１００は、小火器用２次（または「バックアップ」）照準器として機能し得る。すなわち、小火器用照準器１００は、小火器用１次照準器を補助し得る。場合によっては、小火器用１次照準器は、金属製照準器またはスコープを含んでもよい。例示的な実施形態において、小火器用照準器１００は、レールアセンブリの上側部分と小火器用１次照準器との間の小火器のレールアセンブリに取り付けられ得る。このように、小火器用照準器１００は、使用されていない領域において小火器に取り付けられ得る。小火器用照準器１００は、小火器に関して任意の場所に取り付けられ得る。小火器用照準器１００は、小火器用１次照準器が誤作動した場合に、または動作不能である場合に展開され得る。
【００１８】
[0030]  特定の実施形態において、小火器用照準器１００は、ハウジング１０２を含み得る。場合によっては、ハウジング１０２は、ケーシング１０４とプレート１０６とを含んでもよい。ケーシング１０４およびプレート１０６は、１つ以上のファスナ１０８によって連結されてハウジング１０２が形成され得る。ハウジング１０２は、一端に開口部１１０を含み得る。開口部１１０は、小火器用照準器１００の１つ以上の構成要素がハウジング１０２内に格納される、またはハウジング１０２から展開されることを可能にし得る。場合によっては、開口部１１０は、ハウジング１０２の１つ以上の内側表面に対する傾斜面１１２を有してもよい。傾斜面１１２は、ハウジング１０２に対して傾斜して、小火器用照準器１００の１つ以上の構成要素を展開することを容易にし得る。
【００１９】
[0031]  ハウジング１０２は、小火器に取り付けられ得る。例えば、取付けアセンブリ１１４が、ハウジング１０２を小火器に取り付けるように構成され得る。場合によっては、取付けアセンブリ１１４は、固定クランプ１１６と、可動クランプ１１８と、少なくとも１つの連結棒１２０とを含んでもよい。可動クランプ１１８は、クランプ位置とクランプ解除位置との間で固定クランプ１１６に対して移動するように動作し得る。場合によっては、固定クランプ１１６は、ケーシング１０４と一体をなしてもよい。さらに、ケーシング１０４は、可動クランプ１１８の対応する突起部１２４とかみ合うように構成される、固定クランプ１１６の反対側に配置されたチャネル１２２を含み得る。連結棒１２０は、固定クランプ１１６と可動クランプ１１８とを連結させ得る。例えば、ケーシング１０４は、連結棒１２０を収容するように構成された１つ以上の孔１２６を含み得る。また、連結棒１２０は、孔１２６内に配置され、可動クランプ１１８に取り付けられ得る。このように、連結棒１２０の操作（例えば、締付けること、または緩めること）によって、可動クランプ１１８が、クランプ位置とクランプ解除位置との間で移動し得る。場合によっては、連結棒１２０は、小火器のレールアセンブリ上の少なくとも２つの装着突起部の間で少なくとも部分的に突出するように構成されてもよい。さらに、取付けアセンブリ１１４は、小火器のレールアセンブリの側面（あり継ぎ構成など）に対応する輪郭を少なくとも部分的に含み得る。
【００２０】
[0032]  特定の実施形態において、小火器用照準器１００は、本体アセンブリ１２８を含み得る。本体アセンブリ１２８は、小火器用照準器１００の１つ以上の構成要素を収納し得る。例えば、本体アセンブリ１２８は、特に光源と電源とを含み得る。光源および電源は、本体アセンブリ１２８内に少なくとも部分的に収納され得る。任意の光学システムが本体アセンブリ１２８内に収納され得る。場合によっては、電源は、バッテリーであってもよい。本体アセンブリ１２８は、光源および電源を作動させるためのオン／オフスイッチ１３０を含み得る。場合によっては、小火器を把持しているユーザの親指によって、オン／オフスイッチ１３０を入れてもよい。
【００２１】
[0033]  本体アセンブリ１２８は、ハウジング１０２に動作可能に取り付けられ得る。例えば、本体アセンブリ１２８は、ハウジング１０２に摺動可能に連結され得る。場合によっては、本体アセンブリ１２８は、本体アセンブリ１２８の遠位端部１３４および近位端部１３６から延在する１つ以上の突出部１３２を含んでもよい。ハウジング１０２は、突出部１３２に対応する１つ以上のスロット１３８を含み得る。突出部１３２は、スロット１３８内に配置され、スロット１３８内で自由に摺動し得る。スロット１３８は、経路に沿って突出部１３２を誘導するように構成され得る。例えば、本体アセンブリ１２８がハウジング１０２から展開される時に、突出部１３２は、傾斜面１１２に向かって、スロット１３８に沿って摺動し得る。（スロット１３８の端部において）傾斜面１１２に隣接すると、突出部１３２は、本体アセンブリ１２８の底面１４０が傾斜面１１２に隣接して位置決めされ得るように、スロット１３８内で旋回し得る。このように、本体アセンブリ１２８は、ハウジング１０２に対して傾斜して展開され得る。本体アセンブリ１２８を格納するために、本体アセンブリ１２８は、突出部１３２およびスロット１３８を介して、旋回および摺動してハウジング１０２内に戻り得る。
【００２２】
[0034]  照準アセンブリ１４２が、本体アセンブリ１２８に動作可能に取り付けられ得る。例えば、照準アセンブリ１４２は、本体アセンブリ１２８の遠位端部１３４に動作可能に取り付けられ得る。場合によっては、照準アセンブリ１４２は、本体アセンブリ１２８に関して回転可能であってもよい。例えば、照準アセンブリ１４２は、ヒンジ１４４を介して本体アセンブリ１２８に取り付けられ得る。ヒンジ１４４は、本体アセンブリ１２８から延在する突起部１４６の対を含み得る。突起部１４６の各々は、当該突起部１４６を通る開口１４８を含み得る。さらに、ヒンジ１４４は、照準アセンブリ１４２において、対応する開口１５０の対を含み得る。このように、突起部１４６の開口１４８は、照準アセンブリ１４２の開口１５０と位置合わせされ得る。ピン１５２（またはねじ）が、突起部１４６の開口１４８内に、かつ照準アセンブリ１４２の開口１５０内に位置決めされて、照準アセンブリ１４２を本体アセンブリ１２８に回転可能に固定し得る。本明細書において、任意の数の回転可能な構成が使用され得る。
【００２３】
[0035]  場合によっては、照準アセンブリ１４２は、照準アセンブリフレーム１５４を含んでもよい。照準アセンブリフレーム１５４は、上述した開口１５０を含み得る。照準アセンブリ１４２は、照準アセンブリフレーム１５４に関して位置決めされた反射レンズ１５６も含み得る。反射レンズ１５６は、任意の好適な材料であってよい。例えば、場合によっては、反射レンズ１５６は、少なくとも部分的に透明であってもよく、ある程度の反射性を有する表面を含んでもよい。反射レンズ１５６の特性は、さまざまであり得る。照準表示１５８が、反射レンズ１５６上に表示され得る。例えば、本体アセンブリ１２８内の光源は、照準表示１５８を反射レンズ１５６上に投影し得る。場合によっては、照準表示１５８は、レッドドットなどであってもよい。照準アセンブリフレーム１５４は、本体アセンブリ１２８に回転可能に取り付けられ得る。また、光源は、反射レンズ１５６上に照準表示１５８を表示し得る。
【００２４】
[0036]  場合によっては、照準表示１５８は、反射レンズ１５６に関して調整可能であってもよい。例えば、ユーザは、反射レンズ１５６に関して照準表示１５８の位置を調整することによって、小火器用照準器１００を較正することができる。場合によっては、ユーザは、ノブ１６０を操作することによって反射レンズ１５６に関して照準表示１５８を上下に調整してもよい。例えば、ノブ１６０は、光源を上下に調整するように光源と連通し得る。他の場合には、ユーザは、ノブ１６２を操作することによって反射レンズ１５６に関して照準表示１５８を左右に調整してもよい。例えば、ノブ１６２は、光源を左右に調整するように光源と連通し得る。場合によっては、ノブ１６０およびノブ１６２は、マイナスドライバなどの工具を使用して調整されてもよい。
【００２５】
[0037]  光源は、発光ダイオード、トリチウム光源、または他の任意の好適な光を含み得る。光源は、光の一定の供給源を提供することができ、あるいは、光源は、小火器用照準器１００が開位置または閉位置にある時に応じて、オンとオフとの間で切り換えられ得る。光源の出力または輝度は、自動的に、または手動で調整され得る。場合によっては、光源は、照準アセンブリ１４２と反対側に、本体アセンブリ１２８に関して配置されてもよい。
【００２６】
[0038]  小火器用照準器１００は、本体アセンブリ１２８および照準アセンブリ１４２を、閉位置（図３に示す）から開位置（図１に示す）まで展開するように動作可能な展開機構１６４を含み得る。場合によっては、展開機構１６４は、ばねなどであってもよい。例えば、展開機構１６４は、コイルばね１６６であり得る。コイルばね１６６は、照準アセンブリ１４２および本体アセンブリ１２８に関して位置決めされ得る。コイルばね１６６は、開位置で本体アセンブリ１２８および照準アセンブリ１４２を付勢し得る。例えば、コイルばね１６６は、照準アセンブリ１４２を、折り畳み位置（すなわち、閉位置）から拡張位置（すなわち、開位置）まで付勢する傾向があり得る。ひいては、コイルばね１６６は、本体アセンブリ１２８を、ハウジング１０２の内側にある閉位置からハウジング１０２の外側にある開位置まで付勢する傾向があり得る。すなわち、照準アセンブリ１４２がハウジング１０２を押すと、本体アセンブリ１２８は、突出部１３２およびスロット１３８を介して閉位置から開位置まで摺動する傾向があり得る。場合によっては、安定装置／ラッチアセンブリ１６８が、展開機構１６４と協働して、閉位置および開位置で照準アセンブリ１４２を維持してもよい。
【００２７】
[0039]  特定の実施形態において、本体アセンブリ１２８および照準アセンブリ１４２は、閉位置にある時に、ともに折り畳まれ、ハウジング１０２内に少なくとも部分的に位置決めされ得る。逆に、本体アセンブリ１２８は、開位置にある時に、ハウジング１０２に対してある角度の傾斜をもって展開され得る。さらに、照準アセンブリ１４２は、開位置にある時に、本体アセンブリ１２８に対して実質的に直角をなし得る。本体アセンブリ１２８および照準アセンブリ１４２は、小火器を照準する際に開位置にあり得る。小火器用照準器１００は、照準アセンブリ１４２を拡張位置から折り畳み位置まで回転させ、そして本体アセンブリ１２８を旋回および摺動させてハウジング１０２内に入れることによって、閉位置まで移動し得る。
【００２８】
[0040]  ラッチアセンブリ１７０が、ハウジング１０２に動作可能に取り付けられ得る。例えば、ラッチアセンブリ１７０は、ピボット１７２を介してハウジング１０２に取り付けられ得る。場合によっては、ラッチアセンブリ１７０は、閉位置で本体アセンブリ１２８および照準アセンブリ１４２を維持するように構成されてもよい。例えば、ラッチアセンブリ１７０は、ハウジング１０２の穴１７６を通って少なくとも部分的に延在するラッチ１７４を含み得る。ラッチ１７４は、本体アセンブリ１２８の切欠き１７８に係合し得る。場合によっては、ユーザは、ラッチ１７４を操作して本体アセンブリ１２８の切欠き１７８との係合を解除してもよい。いったん係合が解除されると、本体アセンブリ１２８および照準アセンブリ１４２は、開位置まで展開し得る。
【００２９】
[0041]  ラッチアセンブリ１７０は、閉位置で、本体アセンブリ１２８および照準アセンブリ１４２をハウジング１０２内での折り畳み構成に維持し得る。ラッチアセンブリ１７０の操作は、展開機構１６４と協働して、本体アセンブリ１２８および照準アセンブリ１４２を開位置まで展開し得る。場合によっては、小火器を把持しているユーザの親指によって、ラッチアセンブリ１７０の係合を行ってもよい。
【００３０】
例示的な方法
[0042]  図１３は、本開示の１つ以上の実施形態に従って図１〜図１２に示す小火器用照準器１００を提供する例示的な方法２００を示すフローチャートである。特定の実施形態において、小火器用照準器１００は、改善された機動性および構成可能性を提供し得る。例えば、小火器用照準器１００は、関連するケーシングに対して格納および展開され得る。
【００３１】
[0043]  方法２００のブロック２０２において、小火器用照準器１００は、小火器に取り付けられ得る。例えば、取付けアセンブリ１１４は、ハウジング１０２を小火器に取り付けるように構成され得る。可動クランプ１１８は、クランプ位置とクランプ解除位置との間で固定クランプ１１６に対して移動するように動作可能であり得る。場合によっては、固定クランプ１１６は、ケーシング１０４と一体をなしてもよい。連結棒１２０は、固定クランプ１１６と可動クランプ１１８とを連結し得る。例えば、連結棒１２０は、孔１２６内に配置され、可動クランプ１１８に取り付けられ得る。このように、連結棒１２０の操作（例えば、締め付けること、または緩めること）によって、可動クランプ１１８が、クランプ位置とクランプ解除位置との間で移動し得る。場合によっては、連結棒１２０は、小火器のレールアセンブリ上の少なくとも２つの装着突起部の間で少なくとも部分的に突出するように構成されてもよい。さらに、取付けアセンブリ１１４は、小火器のレールアセンブリの側面（あり継ぎ構成など）に対応する輪郭を少なくとも部分的に含み得る。
【００３２】
[0044]  小火器用照準器１００は、方法２００のブロック２０４において、開位置まで展開され得る。例えば、ラッチアセンブリ１７０は、閉位置で、本体アセンブリ１２８および照準アセンブリ１４２をハウジング１０２内での折り畳み構成に維持し得る。ラッチアセンブリ１７０の操作は、展開機構１６４と協働して、本体アセンブリ１２８および照準アセンブリ１４２を開位置まで展開し得る。開位置で、本体アセンブリ１２８は、ハウジング１２に対して傾斜して展開され得る。加えて、照準アセンブリ１４２は、開位置にある時に、本体アセンブリ１２８に対して実質的に直角をなし得る。本体アセンブリ１２８および照準アセンブリ１４２は、小火器を照準する際に開位置にあり得る。
【００３３】
[0045]  方法２００のブロック２０６において、小火器用照準器１００は、閉位置まで後退し得る。例えば、小火器用照準器１００は、照準アセンブリ１４２を拡張位置から折り畳み位置まで回転させ、そして本体アセンブリ１２８を旋回および摺動させてハウジング１０２内に入れることによって、閉位置まで移動し得る。ラッチ１７４は、切欠き１７８に係合して、閉位置で本体アセンブリ１２８および照準アセンブリ１４２を維持し得る。
【００３４】
[0046]  方法２００のブロック２０２〜２０６に記載の動作は、任意の順序で実行することができる。さらに、特定の動作を省略してよく、一方で他の動作を加えてよい。
【００３５】
[0047]  本開示の具体的な実施形態を説明してきたが、多数の他の変更および代替の実施形態が本開示の範囲に収まる。例えば、特定の装置または構成要素に関して説明した機能のいずれも、別の装置または構成要素によって実行され得る。さらに、具体的な装置特性を説明してきた一方で、本開示の実施形態は、多数の他の装置特性に関連し得る。さらに、構造的特徴および／または方法論的動作に特有の表現で実施形態を説明してきたが、本開示は、説明した特定の特徴または動作に必ずしも限定されないことが理解されるべきである。むしろ、特定の特徴および動作は、実施形態を実施する例示的な形態として開示されている。「できる(can)」、「できる(could)」、「してもよい(might)」、または「してもよい(may)」などの条件を表す表現は、通常、別段の指定がない限り、または使用される文脈において他の意味に理解されない限り、特定の実施形態が特定の特徴、要素、および／または動作を含む一方で、他の実施形態はそれらを含まないことを示すものとする。したがって、そのような条件を表す表現は、通常、特徴、要素、および／または動作が１つ以上の実施形態においていかなる形でも必要とされることを示唆しないものとする。
【図１】
2016502643.tif 000003
【図２】
2016502643.tif 000004
【図３】
2016502643.tif 000005
【図４】
2016502643.tif 000006
【図５】
2016502643.tif 000007
【図６】
2016502643.tif 000008
【図７】
2016502643.tif 000009
【図８】
2016502643.tif 000010
【図９】
2016502643.tif 000011
【図１０】
2016502643.tif 000012
【図１１】
2016502643.tif 000013
【図１２】
2016502643.tif 000014
【図１３】
2016502643.tif 000015
【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに動作可能に取り付けられた本体アセンブリと、
前記本体アセンブリに動作可能に取り付けられた照準アセンブリと、
前記本体アセンブリおよび前記照準アセンブリを、前記ハウジングの少なくとも部分的に内側にある閉位置から前記ハウジングの少なくとも部分的に外側にある開位置まで展開するように動作可能な展開機構と、を備え、
前記本体アセンブリは、前記開位置にある時に、前記ハウジングに対して傾斜して配置される、
小火器用照準器。
【請求項２】
前記ハウジングに動作可能に取り付けられ、かつ前記閉位置で前記本体アセンブリおよび前記照準アセンブリを維持するように構成されたラッチアセンブリをさらに備える、請求項１に記載の小火器用照準器。
【請求項３】
前記ラッチアセンブリの操作が、前記展開機構と協働して、前記本体アセンブリおよび前記照準アセンブリを前記開位置まで展開する、請求項２に記載の小火器用照準器。
【請求項４】
前記本体アセンブリは、照準表示を前記照準アセンブリ上に表示するように構成された光源を備える、請求項１に記載の小火器用照準器。
【請求項５】
前記照準表示は、前記照準アセンブリに関して調整可能である、請求項４に記載の小火器用照準器。
【請求項６】
前記照準アセンブリは、
照準アセンブリフレームと、
前記照準アセンブリフレームに関して位置決めされた反射レンズと、
前記反射レンズ上に表示された照準表示と、を備える、
請求項１に記載の小火器用照準器。
【請求項７】
前記本体アセンブリおよび前記照準アセンブリは、前記閉位置にある時に、ともに折り畳まれ、かつ前記ハウジング内に少なくとも部分的に位置決めされる、請求項１に記載の小火器用照準器。
【請求項８】
前記照準アセンブリは、前記開位置にある時に、前記本体アセンブリに実質的に直角をなす、請求項１に記載の小火器用照準器。
【請求項９】
前記ハウジングを小火器に取り付けるように構成された取付けアセンブリをさらに備える、請求項１に記載の小火器用照準器。
【請求項１０】
前記取付けアセンブリは、
固定クランプと、
クランプ位置とクランプ解除位置との間で前記固定クランプに対して移動するように動作可能な可動クランプと、
前記固定クランプと前記可動クランプとの間に位置決めされた少なくとも１つの連結棒と、を備え、
前記少なくとも１つの連結棒の操作によって、前記可動クランプが、前記クランプ位置と前記クランプ解除位置との間で移動する、請求項９記載の小火器用照準器。
【請求項１１】
前記少なくとも１つの連結棒は、前記小火器のレールアセンブリ上の少なくとも２つの装着突起部の間で少なくとも部分的に突出するように構成される、請求項１０に記載の小火器用照準器。
【請求項１２】
前記クランプアセンブリは、前記小火器のレールアセンブリの側面に対応する輪郭を少なくとも部分的に備える、請求項１０に記載の小火器用照準器。
【請求項１３】
小火器に取り付け可能なハウジングと、
前記ハウジングに摺動可能に取り付けられた本体アセンブリと、
前記本体アセンブリに回転可能に取り付けられた照準アセンブリと、
前記本体アセンブリおよび前記照準アセンブリを、前記ハウジング少なくとも部分的に内側にある閉位置から前記ハウジングの少なくとも部分的に外側にある開位置まで展開するように動作可能な展開機構であって、前記本体アセンブリは、前記開位置にある時に、前記ハウジングに対して傾斜して配置される展開機構と、
前記ハウジングに旋回可能に取り付けられ、かつ前記閉位置で前記本体アセンブリおよび前記照準アセンブリを維持するように構成されたラッチアセンブリと、を備え、
前記ラッチアセンブリの操作は、前記展開機構と協働して、前記本体アセンブリおよび前記照準アセンブリを前記開位置まで展開する、
小火器用照準器。
【請求項１４】
前記本体アセンブリは、照準表示を前記照準アセンブリ上に表示するように構成された光源を備える、請求項１３に記載の小火器用照準器。
【請求項１５】
前記照準表示は、前記照準アセンブリに関して調整可能である、請求項１４に記載の小火器用照準器。
【請求項１６】
前記照準アセンブリは、
照準アセンブリフレームと、
前記照準アセンブリフレームに関して位置決めされた反射レンズと、
前記反射レンズ上に表示された照準表示と、を備える、
請求項１３に記載の小火器用照準器。
【請求項１７】
前記本体アセンブリおよび前記照準アセンブリは、前記閉位置にある時に、ともに折り畳まれ、かつ前記ハウジング内に少なくとも部分的に位置決めされる、請求項１３に記載の小火器用照準器。
【請求項１８】
小火器用照準器を提供する方法であって、
小火器に取り付け可能なハウジングを提供することと、
本体アセンブリを前記ハウジングに取り付けることと、
照準アセンブリを前記本体アセンブリに取り付けることと、
展開機構を前記本体アセンブリに取り付けることと、を含み、
前記展開機構は、前記本体アセンブリおよび前記照準アセンブリを、前記ハウジングの少なくとも部分的に内側にある閉位置から前記ハウジングの少なくとも部分的に外側にある開位置まで展開するように構成され、前記本体アセンブリは、前記開位置にある時に、前記ハウジングに対して傾斜して配置される、方法。
【国際調査報告】
2016502643.tif 000016
2016502643.tif 000017